(57)【要約】      （修正有）【課題】壁面に沿って走行させることにより、壁面の柱等凹凸部に対しても正確に罫書き線を引くことのできる床用ガイドマーカーを提供する。【解決手段】握持部１と握持部１側面に対して垂直に摺動自在に差し込まれた摺動棹２で設けられ、且つ壁面Ｗに当接させて罫引き位置を確定させる摺動棹２先端の壁面接地部３と床材Ｆに罫引き線を引く罫引き用ビス６ａ、６ｂを備えた握持部１で構成されている。握持部１に差し込まれた摺動棹２は壁面Ｗの形状により先端の壁面接地部３と摺動棹先端壁面垂直面４が上向き及び下向きに差し替える構成とする。握持部１上面に罫引き用ビス６ａ、６ｂをねじ込む貫通ネジ孔７ａ、７ｂが窄設され、貫通ネジ孔７ａ、７ｂの中間位置に摺動棹固定締め付け部５が設けられている。【選択図】図３
0003194600.tif 000002
【実用新案登録請求の範囲】
【請求項１】
床材Ｆの罫書き面上に載置された状態で握持部１と握持部１に垂直に摺動自在に差し込まれた摺動棹２の壁面接地部３及び４の面と水平位置の握持部１に窄設された貫通ネジ孔（７ａ又は７ｂ）へ罫引き用ビス（６ａ又は６ｂ）をねじ込みビスの先端を所望の長さ（罫書き出来る長さ）に突出し、摺動棹２の壁面接地部３を壁面に当接し握持部１を壁面Ｗに沿って略平行に引くことにより、壁面Ｗの形状を床材Ｆへ正確に罫引きできる事を特徴とする床用ガイドマーカー。
【請求項２】
罫引き用ビス（６ａ、６ｂ）は一般の建築用ビスコースレッド等を使えることを特徴とする請求項１に記載の床用ガイドマーカー。
【請求項３】
握持部１に垂直に差し込まれた摺動棹２は壁面Ｗの形状により先端の壁面接地部３と４の面が上下で使えるよう、差し替え可能に構成されていることを特徴とする請求項１の床用ガイドマーカー。
【請求項４】
床材Ｆの罫引き作業に於いて、壁面Ｗの形状により摺動棹２の差し替えが必要な場合、壁面からの摺動棹２の固定位置を正確かつ簡単に設定できる様、摺動棹２の表面と裏面の同位置に寸法目盛表示部（８ａ、８ｂ）を長手方向に沿って設けていることを特徴とする請求項１の床用ガイドマーカー。
【考案の詳細な説明】
【技術分野】
【０００１】本考案は、建築工事現場で使用される建築用工具に関する。
【背景技術】
【０００２】従来、新築住宅の室内施工手順は、床材敷設後に巾木を取付け石膏ボードを貼り、その後クロスを貼り仕上げるのが通常である。つまり床材の敷設工事に於いては、壁面と接地する床材の壁面側は多少の隙間（巾木の厚み以内）があっても仕上げに床面と壁面の接地部分に所望の巾木を壁面下部に取付けることにより、隙間部分は隠れるので、熟練者でなくても施工することができる。しかし、床材の改修工事に於いては、巾木を取り外し、クロスを剥がし、既存床材を撤去して新しい床材を敷設することになるので、大変手間と費用のかかる工事となる。【０００３】このような床改修工事を簡易にできるよう、現在の床材張替えの改修工事に於いては、既存の床材に上張りする施工が主流になっており、巾木もクロスも既存のまま、床材の敷設工事がおこなえるため、工事期間も短縮され工事費用も低減でできるメリットがある。【０００４】しかし、床材の上張り施工に於いて、室内の内壁面には、柱等の突出物があったり、僅かに湾曲している場合もある。床材敷設で最初と最後の一列（張じまい）を壁面に隙間なく突き付けで敷設するには、床材の壁面側端部を壁面形状に沿うように切断する必要がある。【０００５】従来、所望の形状に切断する方法が行われているが、かかる方法にあっては、誰でも正確に且つ効率よく罫書き線を引くことが出来ない場合がある。つまり切断加工を行う場合には、現場で床材に曲尺等で壁面の形状に合わせて罫書きし、その後罫書き線に沿って切断し壁面形状に当接しながら調整加工後、敷設してゆくが、床材壁面側端部が壁面形状に正確に合うように調整加工するには、時間もかかり熟練者でも大変効率の悪い作業となっている。【０００６】この様な事情から、現実には、高度な技能と熟練が必要となり、未熟者や未経験者では効率よく罫書き作業を行うことができない。例えば、熟練者がベニヤ板等でその場凌ぎ的な罫引き用具を作成したりして作業を進めているが、用具の作成に時間もかかり効率も悪い為、熟練者でなくても床材に簡易に罫引きすることができ、切断作業を行う事の出来る罫引き用具が求められている。【０００７】例えば、床材の罫書きを行う道具として、簡単な構造で壁面との最短距離を常に一定にして正確に罫書き線を引くことのできる罫書き具が提供されている。
【先行技術文献】
【特許文献】
【０００８】
【特許文献１】特開２００６−１５９３１２号公報
【考案の概要】
【考案が解決しようとする課題】
【０００９】しかしながら、特許文献１記載の罫書き具は、罫書き針と壁面との最短距離を常に一定にして床材に罫書き線を引くことを目的としており、壁面接地部が円盤状でその円盤状の中心に罫書き針が取付けてあるので、壁面の緩やかな湾曲は正確に罫書きできるが、壁面に柱等凹凸部がある場合、壁面と凹凸部の入隅部分について、隅位置を正確に罫書きすることは難しい。【００１０】又特許文献１記載の罫書き具は、壁面に柱等凹凸部がある場合、罫書きした部分から壁面接地用円盤の半径分の調整が必要で、入隅部分の隅位置等は別の用具を使って罫書き作業をしないと柱等凹凸部に対して正確に罫書きできない難点もあり作業効率も悪い。【００１１】又特許文献１の罫書き具は、コンパクトな用具であるが、壁面接地部の円盤部や罫書き針取付装置及び握持部アーム等の用具構成材は、全て金属で形成されており、簡易な製造は難しく、製造コストは高くなり、一般的に安価な使い易い用具とはいえず利用者の購買意欲を喚起するに至らない。【００１２】本考案は、上記の問題点を解消して、壁面に沿って走行させることにより、壁面の柱等凹凸部に対しても正確に罫書き線を引くことのできる床用ガイドマーカーの提供を目的としている。
【課題を解決するための手段】
【００１３】本考案は、長方立方体の握持部に垂直に摺動自在に差し込まれた摺動棹の壁面当接部の先端と水平上にある握持部に窄設された貫通ネジ孔に建築用ビスをねじ込みネジの先端が握持部の下面より所望の長さ（罫書きに必要な長さ）に突出るように装着し、摺動棹の壁面当接部を壁面に当接し、握持部を壁面と略平行に引くことにより、床材に壁面形状に沿った罫引き線を引くことのできる床用ガイドマーカーである。
【考案の効果】
【００１４】本考案の床用ガイドマーカーは、本体である握持部を垂直に摺動自在に差し込まれた摺動棹の壁面当接部と握持部に窄設された貫通ネジ孔にねじ込まれた建築用ビスで構成されており、摺動棹を表裏差し替えた場合は、摺動棹壁面当接部の位置の変更に伴い、握持部の貫通ネジ孔の位置は差し替えられた摺動棹壁面当接部と水平線上に窄設してある為、壁面に柱等凹凸部がある場合でも、摺動棹を差し替えることにより、床材に正確な罫引きをすることができる。【００１５】床用ガイドマーカーの罫引き用ビスは建築用ビスコースレッド等を利用しており、他は全て木材で形成されているため大変軽く、金属製に比較して構造も簡単で、職人が常時腰につける工具袋に差し込んでいれば、持ち運びも簡単であり、製造コストも廉価で取り扱いも容易である。【００１６】床用ガイドマーカーに装着されている建築用ビスコースレッド等の先端が摩耗した場合は、他の建築用ビスに適宣交換することにより、従来通り利用することができるため、使い易い用具である。【００１７】摺動棹先端の壁面当接部が、摩耗した場合は、鉛筆等を削る要領で先端部を削ることにより機能は当初の状態のもどり、従来通り利用することができるため、使い易い用具である。
【考案を実地するための最良の形態】
【００１８】図３はこの考案の実地例を示す。この考案の床用ガイドマーカーＭは、長方立方体の握持部１に垂直に摺動自在に差し込まれた摺動棹２と握持部１に窄設された貫通ネジ孔（７ａ、７ｂ）と一般の建築用ビス（６ａ、６ｂ）コースレッド等からなる
【００１９】握持部１に窄設する貫通ネジ孔（７ａ、７ｂ）の位置は、摺動棹２を表裏に差し替えた場合でも摺動棹先端の壁面当接部３及び４の面と水平上の位置にあるのが適切である。
【００２０】罫引き用に使用するビスは一般の建築工事で使われている木下地用ビスコースレッド等で径３ｍｍ前後長さ４０ｍｍ前後が適当であるが、握持部１の厚さや工事で使用する木下地用ビス等により適宣のビスを使用しても構わない。
【００２１】握持部１に窄設する貫通ネジ孔（７ａ、７ｂ）に建築用ビスをねじ込んで装着する貫通ネジ孔（７ａ、７ｂ）は使用する建築用ビスと略同じ径でビスがドライバー等用具でねじ込める径で窄設するのが、適当である。
【００２２】握持部１の摺動棹２を固定する締め付けナット５は長方立方体握持部１の中心より上部に設置するのが適当であるが、握りやすさを考慮して上下の位置に変更して設置することも可能である。
【００２３】床用ガイドマーカーＭで壁面Ｗの罫引き作業の途中、摺動棹２を握持部１に逆に差し替えても、摺動棹２を同位置に固定し罫書き作業が続けられるために摺動棹２の表面と裏面の同位置に寸法目盛表示部（８ａ、８ｂ）を長手方向に沿って設置する。
【００２４】さらに、上記握持部１に差し込まれた摺動棹２は摺動可能に設けられており、適切な罫書き幅を有する罫書き線を引くことができるので、無駄な端材を最小限に抑えることができる。
【００２５】握持部１と摺動棹２は木材で形成されており、製造も簡易であるが握持部１に窄設される貫通ネジ孔（７ａ、７ｂ）及び壁面Ｗに当接する摺動棹先端３の摩耗の軽減を考慮して、形成する木材の樹種は広葉樹等堅い木材を用いることが望ましい。
【００２６】この罫引き具の握持部１は、罫引きするとき手に握るので、握りやすい大きさの長方立方体が適宣である。又一般的に罫引きする床材の幅は１０ｃｍ前後〜３０ｃｍ前後であり、摺動棹２の長さは２０ｃｍ〜３０ｃｍが適当であり、職人の腰に下げた工具袋から出し入れしやすい大きさが望ましい。
【００２７】図３は壁面Ｗに沿って床材Ｆに罫引きする場合であり、この考案の床用ガイドマーカーＭの使用状況を示す。壁面Ｗに沿って敷かれた罫引きする床材Ｆに載置された床用ガイドマーカーＭの握持部１を握り、摺動棹２の先端３を壁面Ｗに当接し、握持部１を壁面Ｗと略平行に引き、柱Ｈの左側入隅部分はそのまま罫引きし、柱前面上で摺動棹２を逆に差し替え罫書き用ビス６ａを握持部１下面より引込め、罫書き用ビス６ｂの先端を握持部１下面より所望の長さ（罫書き出来る長さ）に突出し、柱Ｈの右側の壁面Ｗとの入隅部分を罫引きし、そのまま壁面Ｗに沿って略平行に引くことにより、壁面Ｗの形状を床材Ｆへ正確に罫引き線Ｒを引くことができる。
【００２８】この罫引き作業で床材Ｆに引いた罫引き線Ｒに沿って切断する事により、床材の壁面接地側は壁面に隙間なく敷設する事ができる。
【００２９】本考案は上記の実地の形態に限定されない。例えば上記の実地形態で、床用ガイドマーカーＭは木材で形成されているが、他の樹脂材料で形成されても構わないし、金属で形成されても構わない。
【図面の簡単な説明】
【００３０】
【図１】本考案の床用ガイドマーカーＭの摺動棹２の４の面が下向きの斜視図である。
【図２】本考案の床用ガイドマーカーＭの摺動棹２の４の面が上向きの斜視図である。
【図３】本考案の床用ガイドマーカーＭの使用状況を示す斜視図である。
【符号の説明】１      握持部
２      摺動棹
３      摺動棹壁面接地部
４      摺動棹先端壁面垂直面
５      摺動棹固定締め付け部
６ａ、６ｂ  コースレッドビス
７ａ、７ｂ  コースレッドビス装着貫通ネジ孔
８ａ、８ｂ  摺動棹寸法目盛表示部
Ｒ      罫引き線
Ｗ      壁面
Ｈ      壁面柱
Ｆ      罫引き用床材
Ｍ      床用ガイドマーカー
【図１】
0003194600.tif 000003
【図２】
0003194600.tif 000004
【図３】
0003194600.tif 000005
【手続補正書】
【提出日】平成26年9月12日(2014.9.12)
【手続補正１】
【補正対象書類名】実用新案登録請求の範囲
【補正対象項目名】全文
【補正方法】変更
【補正の内容】
【実用新案登録請求の範囲】
【請求項１】
握持部（１）と前記握持部（１）側面に対して垂直に摺動自在に差し込まれた摺動棹（２）で設けられ、且つ壁面（Ｗ）に当接させて罫引き位置を確定させる摺動棹（２）先端の壁面接地部（３）と床材（Ｆ）に罫引き線を引く罫引き用ビス（６ａ、６ｂ）を備えた握持部（１）で構成されていることを特徴とする床用ガイドマーカー。
【請求項２】
握持部（１）に差し込まれた摺動棹（２）は壁面（Ｗ）の形状により先端の壁面接地部（３）と摺動棹先端壁面垂直面（４）が上向き及び下向きに差し替える構成を特徴とする請求項１の床用ガイドマーカー。
【請求項３】
握持部（１）上面に罫引き用ビス（６ａ、６ｂ）をねじ込む貫通ネジ孔（７ａ、７ｂ）が窄設され、貫通ネジ孔（７ａ）と（７ｂ）の中間位置に摺動棹固定締め付け部（５）が設けられていることを特徴とする請求項１の床用ガイドマーカー。
【請求項４】
握持部（１）に差し込まれた摺動棹（２）の表面と裏面の同位置に寸法目盛表示部（８ａ、８ｂ）を長手方向に沿って設けていることを特徴とする請求項１の床用ガイドマーカー。